(57)【要約】【課題】異形アダプタ継手を不要とし、また、ＰＣ鋼材との接続を簡単に外せるようにする。【解決手段】コンクリートに圧縮応力を付加したプレストレスコンクリートを製作するために、ＰＣ鋼材とジャッキとを接続するＰＣ鋼材接続装置であって、ＰＣ鋼材１３の端部を把持するコレット形のグリップ３２と、このグリップ１３が収容され、テーパー面３６が形成されたスリーブ３０と、ジャッキ側のロッド１５が接続される異形ジョイント３１と、を備え、この異形ジョイント３１は、スリーブ３０との連結部３４を有する。【選択図】図１
2017013379.tif 000002
【特許請求の範囲】
【請求項１】
コンクリートに圧縮応力を付加したプレストレスコンクリートを製作するために、ＰＣ鋼材とジャッキとを接続するＰＣ鋼材接続装置において、
前記ＰＣ鋼材の端部を把持するコレット形のグリップと、
前記グリップが収容され、テーパー面が形成されたスリーブと、
前記ジャッキ側のロッドが接続される異形ジョイントと、を備え、
前記異形ジョイントは、前記スリーブとの連結部を有することを特徴とするＰＣ鋼材接続装置。
【請求項２】
前記ＰＣ鋼材に横から嵌合可能なＵ字形の本体と、前記本体の先端に形成され前記スリーブの端面開口部の内周面と前記ＰＣ鋼材の間に形成される隙間に挿入可能であり、前記グリップの端面に当接する差し込み部と、からなり、前記コレット形のグリップの把持状態をリセットするリセッターをさらに有することを特徴とする請求項１に記載のＰＣ鋼材接続装置。
【請求項３】
前記グリップのテーパー面には、硬質クロムめっき皮膜が形成されていることを特徴とする請求項１に記載のＰＣ鋼材接続装置。
【発明の詳細な説明】
【技術分野】
【０００１】
本発明は、コンクリートにＰＣ鋼材（プレストレスコンクリート鋼材、以下、ＰＣ鋼材という）を用いてプレストレスを付加するに際して、ＰＣ鋼材とジャッキとの接続に用いるＰＣ鋼材接続装置に関する。
【背景技術】
【０００２】
プレストレスコンクリートは、コンクリートにあらかじめ圧縮応力を与えたコンクリートである。コンクリートは、本来、圧縮に対しては強いが引張りには弱いという欠点があり、このコンクリートの欠点を克服するために開発されたのがプレストレストコンクリートである。
【０００３】
プレストレスコンクリートでは、荷重による引っ張り応力が働いても、あらかじめ与えられている圧縮応力によって打ち消されるので、これを用いたコンクリート構造物を堅固な耐久性のあるものにすることができる。このような特徴のあるプレストレスコンクリートは、高層ビルの床や耐震構造、橋梁の床版、消波堤などの海洋構造物、さらには原子炉格納容器など、先進的なコンクリート構造物に広く利用されている。
【０００４】
コンクリートに圧縮応力を与えるには、ＰＣ鋼材と呼ばれている鋼索が使用される。このＰＣ鋼材を油圧ジャッキで引張した状態にして、コンクリートを打設しコンクリートが固まると、ＰＣ鋼材が縮んでコンクリートには圧縮応力がかかることになる。このようなプレテンション方式により、プレストレスコンクリートを製作する従来技術としては、例えば、特許文献１に記載されているプレテンション装置がある。
【０００５】
ＰＣ鋼材を油圧ジャッキで緊張するに際しては、ＰＣ鋼材と油圧ジャッキを着脱可能に接続する装置が必要である。そこで、図４に、従来のＰＣ鋼材接続装置を示す。
【０００６】
図４において、このＰＣ鋼材接続装置は、ＰＣ鋼材接続継手１０と、異形アダプタ継手１２とから構成されている。
【０００７】
ＰＣ鋼材接続継手１０は、コンクリートを打設する側に配線されるＰＣ綱より線１３と、中間のＰＣ綱より線１４と、を接続する継手である。
【０００８】
異形アダプタ継手１２は、中間ＰＣ綱より線１４と、図示しない油圧ジャッキから延びるロッド１５とを接続する継手であり、ＰＣ綱より線１３と油圧ジャッキのロッド１５との接続を仲介するアダプタである。
【０００９】
ＰＣ鋼材接続継手１０は、ジョイント１６を有しており、このジョイント１６の一端には第１のスリーブ１７がねじで締結され、ジョイント１６の他端には第２のスリーブ１８がねじで締結されている。
【００１０】
第１スリーブ１７の内部には、円錐三ツ割形の第１グリップ１９が収納され、第２のスリーブ１８の内部にも、第１スリーブ１７と反対向きに円錐三ツ割形の第２グリップ２１が収納されている。第１グリップ１９は、スプリング２２の弾性力により付勢され、くさび作用によりＰＣ綱より線１３の端部を把持する。同様に、第２グリップ１９は、スプリング２３の弾性力によって付勢され、中間ＰＣ綱より線１４の一端を把持することができる。
【００１１】
異形アダプタ継手１２の内部には、中間ＰＣ綱より線１４の先端を把持するグリップ２４が内蔵されている。油圧ジャッキのロッド１５には、ねじが形成されており、異形アダプタ継手１２とロッド１５とは、そのねじに螺合するナット２５によって接続される。
【００１２】
油圧ジャッキによる緊張が終わって、ＰＣ綱より線１３との接続を解除する場合には、ＰＣ鋼材接続継手１０のジョイント１６からねじを戻して第１のスリーブ１７を取り外す。そして、第１グリップ１９からＰＣ綱より線１３を取り外すことになる。
【先行技術文献】
【特許文献】
【００１３】
【特許文献１】特開２００１−３１０３１８号公報
【発明の開示】
【発明が解決しようとする課題】
【００１４】
従来のＰＣ鋼材接続装置では、油圧ジャッキ側のロッド１５と形状の異なるＰＣ綱より線１３との接続には、ＰＣ鋼材接続継手１０とは別に異形アダプタ継手１２を用いる必要があった。
【００１５】
また、ＰＣ鋼材接続継手１０では、スプリング２２の弾性力による第１グリップ１９の把持力が効いているために、ジョイント１６からねじを戻して第１スリーブ１７を取り外さなければならず、この作業に手間取り時間を要するという欠点があった。
【００１６】
さらに、ジョイント１６から第１スリーブ１７を取り外した後でも、第１グリップ１９が第１スリーブ１７のテーパー面に焼き付いて固着することがあり、この状態になってしまうと、第１グリップ１９からＰＣ綱より線１３を簡単には外すことができなくなり、ハンマーで打撃を加えるなどして、やっとのことで外すことができる場合がある。
【００１７】
そこで、本発明の目的は、前記従来技術の有する問題点を解消し、異形アダプタ継手を不要とし、また、ＰＣ鋼材との接続を簡単に外すことができるＰＣ鋼材接続装置を提供することにある。
【課題を解決するための手段】
【００１８】
前記の目的を達成するために、本発明は、コンクリートに圧縮応力を付加したプレストレスコンクリートを製作するために、ＰＣ鋼材とジャッキとを接続するＰＣ鋼材接続装置において、前記ＰＣ鋼材の端部を把持するコレット形のグリップと、前記グリップが収容され、テーパー面が形成されたスリーブと、前記ジャッキ側のロッドが接続される異形ジョイントと、を備え、前記異形ジョイントは、前記スリーブとの連結部を有することを特徴とするものである。
【図面の簡単な説明】
【００１９】
【図１】本発明によるＰＣ鋼材接続装置の一実施例を示す縦断面図である。
【図２】同ＰＣ鋼材接続装置のリセッターの正面図である。
【図３】同ＰＣ鋼材接続装置において、図２のリセッターを押し込んでＰＣ鋼材の接続を解除する操作を示す縦断面図である。
【図４】従来のＰＣ鋼材接続装置を示す縦断面図である。
【発明を実施するための最良の形態】
【００２０】
以下、本発明によるＰＣ鋼材接続装置の一実施形態について、添付の図面を参照しながら説明する。
【００２１】
図１は、本実施形態によるＰＣ鋼材接続装置を示す。図１において、本実施形態によるＰＣ鋼材接続装置は、大きく分けると、スリーブ３０と、異形ジョイント３１と、スリーブ３０に収容されたグリップ３２と、から構成されている。
【００２２】
コンクリートを打設する側に配線されるＰＣ綱より線１３の先端は、スリーブ３０の内部のグリップ３２によって把持されるようになっている。他方、異形ジョイント３１には、図示しない油圧ジャッキから延びるロッド１５が接続される。この実施形態の場合、異形ジョイント３１の先端部には、雌ねじ３３が形成され、ロッド１５には、雄ねじが形成されている。ロッド１５の先端は、異形ジョイント３１の雌ねじ３３に螺合するようになっている。
【００２３】
異形ジョイント３１には、雄ねじの形成された連結部３４が同軸に形成されている。スリーブ３０の連結端部側、この場合、ロッド１５と連結される側の端部には、雌ねじ３５が形成されており、異形ジョイント３１の連結部３４は、雌ねじ３５に螺合する。スリーブ３０の把持部側、すなわちＰＣ鋼より線１３を把持する側の内径部には、先端にむかって径が小さくなるようにテーパー面３６が形成されている。  
スリーブ３０に収容されているグリップ３２は、円錐三ツ割形コレットチャック式のグリップから構成されている。このグリップ３２の外周のテーパー面は、テーパー面３６に摺接するようになっている。この実施形態では、グリップ３２の外周のテーパー面には、硬質クロムメッキによる被膜が形成されている。
【００２４】
連結部３４の内部には、コイルスプリング３９が設けられており、コイルスプリング３９の先端は、ばね受け４０を介してグリップ３２の後端に当接している。このコイルスプリング３９は、弾性力によってグリップ３２を矢印Ａ方向に付勢している。
【００２５】
なお、参照番号４１は、弾性材料からなるＯリングを示し、このＯリング４１は、３分割された部材からなるグリップ３２がばらばらにならないように束ねるリングである。
【００２６】
次に、図２において、参照番号４２は、グリップ３２の状態をリセットし、グリップ３２からＰＣ鋼より線１３を抜き取るのに使用するリセッターを示す。
【００２７】
このリセッター４２は、横断面形状がＵ字形である金属材料からなる部材である。このリセッター４２には、ＰＣ鋼より線１３の直径よりも若干大きな内径をもちＰＣ鋼より線１３が遊嵌する溝４３が軸方向全体にわたって形成されている。リセッター４２の肉厚な本体の先端部には、肉厚の本体よりも外径の小さくなった差し込み部４４が形成されている。この差し込み部４４は、図３に示されるように、スリーブ３０の後端開口部の内周部とＰＣ鋼より線１３との間で形成される隙間４３から挿入できるような外径を有しているとともに、挿入したときにグリップ３２の先端にとどいて当接するだけの長さを有している。
【００２８】
本実施形態によるＰＣ鋼材接続装置は、以上のように構成されるものであり、次に、その作用並びに効果について説明する。
【００２９】
本実施形態によるＰＣ鋼材接続装置では、図１示されるように、油圧ジャッキ側のロッド１５は、直接、異形ジョイント３１に接続される。これによって、図４示した従来のＰＣ鋼材接続装置のように、異形アダプタ継手１２や中間ＰＣ綱より線１４を仲介させて接続する必要する必要がなくなる。
【００３０】
次いで、ＰＣ鋼より線１３を接続するためには、ＰＣ鋼より線１３をスリーブ３０に挿入する。
【００３１】
このとき、ＰＣ鋼より線１３の挿入ととともに、コイルスプリング３９の弾性力に抗して、グリップ３２が矢印Ｂ方向に押し込まれ、グリップ３２の内径がわずかに大きくなるので、ＰＣ鋼より線１３を図１示す位置まで挿入することができる。その後、グリップ３２は、コイルスプリング３９の弾性力により矢印Ａ方向に付勢され、ＰＣ綱より線１３の端部を把持する。
【００３２】
油圧ジャッキでＰＣ鋼より線１３を緊張するときには、その反力によってＰＣ鋼より線１３を把持するグリップ３２には矢印Ａ方向に引き込む反力が作用する。このときグリップ３２の内径はテーパー面３６からのくさび作用によって縮小しようとするので、油圧ジャッキでＰＣ鋼より線１３を緊張させている間、グリップ３２はＰＣより線１３をより強く掴むことができる。
【００３３】
次に、ＰＣ鋼より線１３を接続装置から取り外すときの操作について説明する。
【００３４】
図３示すように、リセッター４２を横からＰＣ鋼より線１３に嵌めてから、差し込み部４４をスリーブ３０の後端開口部の隙間４３から挿入する。この差し込み部４４の先端をグリップ３２の先端面に当接させる。そして、リセッター４２で押しながらグリップ３２をコイルスプリング３９の弾性力に抗して押し込むと、グリップ３２の内径が広がるので、グリップ３２によるＰＣより線１３の把持状態を解除し、ＰＣ鋼より線１３を引き抜くことができる。
【００３５】
この実施形態では、ＰＣ鋼より線１３を油圧ジャッキで緊張するときには、グリップ３２のテーパー面はスリーブ３０のテーパー面３６に対して非常に大きな力で押しつけられるが、グリップ３２のテーパー面は、硬質クロムメッキ被膜で覆われているので、グリップ３２が焼き付くことなく、リセッター４２を手で押すだけという簡単な操作で、グリップ３２を押し出すことができる。このため、従来のように、ハンマーで打撃加えながら抜くというような作業は不要である。
【００３６】
以上のようにして、スリーブ３０を異形ジョイント３１から取り外して分解することなく、外側からリセッター４２を押し込むだけで、ＰＣ鋼より線１３を簡単に取り外すことができる。
【符号の説明】
【００３７】
１３…ＰＣ鋼より線、１５…ジャッキ側のロッド、３０…スリーブ、３１…異形ジョイント、３２…グリップ、３４…連結部、３６…テーパー面、３９…コイルスプリング、４２…リセッター、４４…差し込み部
【図１】
2017013379.tif 000003
【図２】
2017013379.tif 000004
【図３】
2017013379.tif 000005
【図４】
2017013379.tif 000006